(57)【特許請求の範囲】
【請求項１】
長手方向の両端側に係止溝を有する棒状ケーシングと、シリンダ部とピストンロッドとからなる緩衝ダンパと、前記シリンダ部の基部端及び前記ピストンロッド先端にそれぞれ軸支したフック部材と、対向する両フック部材間に設けられた引張り弾性体とからなり、少なくとも一方側の前記フック部材が前記棒状ケーシングの係止溝に係止されてなる
ことを特徴とする戸閉具。
【請求項２】
請求項１において、前記棒状ケーシングの中間にガイド部材が固着され、該ガイド部材のガイド部に前記シリンダ部が遊挿されて該シリンダ部は前記ガイド部材に対して摺動自在に構成されてなることを特徴とする戸閉具。
【請求項３】
請求項１又は２において、前記両フック部材間の引張り弾性体にて前記フック部材に形成された係止突起が前記係止溝に係止されてなることを特徴とする戸閉具。
【請求項４】
請求項１，２又は３において、前記緩衝ダンパは、エアダンパとして構成され、該エアダンパの長手方向と、前記引張り弾性体の長手方向とはほぼ並列に配置されてなることを特徴とする戸閉具。
【請求項５】
請求項４において、前記エアダンパには、圧力を適宜調節できる圧力調整部が設けられてなることを特徴とする戸閉具。
【請求項６】
請求項１，２，３，４又は５において、前記フック部材は、フック部と回転基部とからなり、前記フック部は、三角状の係止部と立上り状の当接部が凹み部を介して形成され、前記両フック部材の回転基部間に前記引張り弾性体が張設されてなることを特徴とする戸閉具。
【請求項７】
請求項１，２，３，４，５又は６において、前記引張り弾性体は引張りコイルバネとしてなることを特徴とする戸閉具。
【請求項８】
請求項１，２，３，４，５，６又は７において、前記フック部材は、前記シリンダ部の基部端及び前記ピストンロッド先端にそれぞれ設けた取付部材に軸支されてなることを特徴とする戸閉具。
【請求項９】
長手方向の両端側に係止溝を有する棒状ケーシングと、シリンダ部とピストンロッドとからなる緩衝ダンパと、前記シリンダ部の基部端及び前記ピストンロッド先端にそれぞれ軸支したフック部材と、対向する両フック部材間に設けられた引張り弾性体とからなる戸閉具が、食器棚，陳列棚等の種々の収納家具，キャビネット又は部屋の間仕切りにおける引戸の上部に備えられ、該引戸をスライドさせるガイドレールの戸閉する両箇所付近に、前記フック部材が前記棒状ケーシングの係止溝への係止を解除する固定突起が設けられてなり、少なくとも一方側の前記フック部材が前記棒状ケーシングの係止溝に係止されてなることを特徴とする戸閉装置。
【請求項１０】
請求項９において、前記緩衝ダンパは、エアダンパとして構成され、該エアダンパの長手方向と、前記引張り弾性体の長手方向とはほぼ並列に配置されてなることを特徴とする戸閉具。
【請求項１１】
請求項１０において、前記エアダンパには、圧力を適宜調節できる圧力調整部が設けられてなることを特徴とする戸閉装置。
【請求項１２】
請求項９，１０又は１１において、前記引張り弾性体は引張りコイルバネとしてなることを特徴とする戸閉装置。
【請求項１３】
長手方向の両端側に係止溝を有する棒状ケーシングと、シリンダ部とピストンロッドとからなる緩衝ダンパと、前記シリンダ部の基部端及び前記ピストンロッド先端にそれぞれ軸支したフック部材と、対向する両フック部材間に設けられた引張り弾性体とからなる戸閉具が、部屋の間仕切りにおける引戸の下部に備えられ、該引戸をスライドさせるガイドレールの直下に配置されつつ、適宜戸閉する箇所付近に、前記フック部材が前記棒状ケーシングの係止溝への係止を解除する固定突起が設けられてなり、少なくとも一方側の前記フック部材が前記棒状ケーシングの係止溝に係止されてなることを特徴とする戸閉装置。
【請求項１４】
請求項１３において、前記緩衝ダンパは、エアダンパとして構成され、該エアダンパの長手方向と、前記引張り弾性体の長手方向とはほぼ並列に配置されてなることを特徴とする戸閉具。
【請求項１５】
請求項１４において、前記エアダンパには、圧力を適宜調節できる圧力調整部が設けられてなることを特徴とする戸閉装置。
【請求項１６】
請求項１３，１４又は１５において、前記引張り弾性体は引張りコイルバネとしてなることを特徴とする戸閉装置。
【発明の詳細な説明】
【技術分野】
【０００１】
本発明は、食器棚，本棚，陳列棚等の種々の収納家具，キャビネット又は部屋の間仕切りにおける引戸において、特に引戸の戸閉側端部付近に急速に近接させたとしても、その戸閉終了間際における引戸の速度が適正に減速されつつ良好な戸閉動作を行なうことができる戸閉具及び引戸の戸閉装置に関する。
【背景技術】
【０００２】
従来より、食器棚，本棚，陳列棚等の種々の収納家具には、ガラス窓等を備えた引戸が装着されることが多い。この引戸は、小さい間口の収納家具であれば間口箇所の上下にガイドレールが構成され、ガラス板の上下端部がそのガイドレールに挿入された極めて簡単な構造のものが備えられている。しかし、高級な家具や高級なキャビネットでは、引戸の開き及び閉めの動作にも重厚且つ上品であることが要求される。特に、大型の家具又は部屋の仕切りとして使用される引戸は、特に大型となり、それゆえに、引戸自体の重量も極めて大きくなっている。
【特許文献１】特開２００６−６３７１９
【発明の開示】
【発明が解決しようとする課題】
【０００３】
このような大型の引戸は、その重量が重いため、引戸が一旦，移動し始めるとその勢いにより、キャビネットの枠に大きな衝撃を有して衝突状に当接するおそれがある。このような状態は、家具の品質を低下させ、高級家具やキャビネットの特性として相応しいものとはいえない。さらに、部屋の仕切りとして使用される引戸においても、動作に静粛さが要望されるものであり、前述したように大きな衝撃を有して戸当たりに衝突状に当接するおそれがあり、このような引戸は、高級な室内では、決して相応しいものとはいえない。また、前述したような引戸の戸閉側端部における戸閉の衝突状態を防止しようとすると、結局，引戸の戸閉動作の勢いをなるべく小さくすることになり、それゆえに引戸の戸閉状態が不完全なものになりやすい。
【０００４】
このようなことも家具の品質を低下させる原因となる。さらに、引戸の戸閉動作における緩衝機能を有するものでは、その装置が大型化することが多く、それゆえに戸閉装置が引戸装置の外部に露出してしまい、余分なスペースを必要とし、且つその外観も損なうことになる。特許文献１では、特に、戸閉装置が引戸装置の外部に露出すると共に、余分なスペースを必要とし、且つその外観も損なう欠点がある。さらに、そのクローザーは、引戸の左右側にそれぞれ必要とされ、割高となる欠点がある。また、引戸を開けるときに、把手の位置によっては、引戸には移動方向にモーメントがかかり、引戸がガイドレールに対して傾斜してしまうことがあり、開閉動作が安定しにくいことがありうる。
【０００５】
このため、本発明が解決しようとする課題（技術的課題又は目的等）は、戸閉終了間際における引戸の速度を適正に減速させて、引戸開閉時における動作を良質なものとし、さらにその戸閉装置の取付けスペースを僅かなものとし、装置の組付けも極めて簡単にすることを実現することである。
【課題を解決するための手段】
【０００６】
そこで、発明者は、上記課題を解決すべく、鋭意，研究を重ねた結果、請求項１の発明を、長手方向の両端側に係止溝を有する棒状ケーシングと、シリンダ部とピストンロッドとからなる緩衝ダンパと、前記シリンダ部の基部端及び前記ピストンロッド先端にそれぞれ軸支したフック部材と、対向する両フック部材間に設けられた引張り弾性体とからなり、少なくとも一方側の前記フック部材が前記棒状ケーシングの係止溝に係止されてなることを特徴とする戸閉具としたことにより、上記課題を解決した。
【０００７】
請求項２の発明を、請求項１において、前記棒状ケーシングの中間にガイド部材が固着され、該ガイド部材のガイド部に前記シリンダ部が遊挿されて該シリンダ部は前記ガイド部材に対して摺動自在に構成されてなることを特徴とする戸閉具としたことにより、上記課題を解決した。請求項３の発明を、請求項１又は２において、前記両フック部材間の引張り弾性体にて前記フック部材に形成された係止突起が前記係止溝に係止されてなることを特徴とする戸閉具としたことにより、上記課題を解決した。請求項４の発明を、請求項１，２又は３において、前記緩衝ダンパは、エアダンパとして構成され、該エアダンパの長手方向と、前記引張り弾性体の長手方向とはほぼ並列に配置されてなることを特徴とする戸閉具としたことにより、上記課題を解決した。
【０００８】
請求項５の発明を、請求項４において、前記エアダンパには、圧力を適宜調節できる圧力調整部が設けられてなることを特徴とする戸閉具としたことにより、上記課題を解決した。請求項６の発明を、請求項１，２，３，４又は５において、前記フック部材は、フック部と回転基部とからなり、前記フック部は、三角状の係止部と立上り状の当接部が凹み部を介して形成され、前記両フック部材の回転基部間に前記引張り弾性体が張設されてなることを特徴とする戸閉具としたことにより、上記課題を解決した。請求項７の発明を、請求項１，２，３，４，５又は６において、前記引張り弾性体は引張りコイルバネとしてなることを特徴とする戸閉具としたことにより、上記課題を解決した。請求項８の発明を、請求項１，２，３，４，５，６又は７において、前記フック部材は、前記シリンダ部の基部端及び前記ピストンロッド先端にそれぞれ設けた取付部材に軸支されてなることを特徴とする戸閉具としたことにより、上記課題を解決した。
【０００９】
請求項９の発明を、長手方向の両端側に係止溝を有する棒状ケーシングと、シリンダ部とピストンロッドとからなる緩衝ダンパと、前記シリンダ部の基部端及び前記ピストンロッド先端にそれぞれ軸支したフック部材と、対向する両フック部材間に設けられた引張り弾性体とからなる戸閉具が、食器棚，陳列棚等の種々の収納家具，キャビネット又は部屋の間仕切りにおける引戸の上部に備えられ、該引戸をスライドさせるガイドレールの戸閉する両箇所付近に、前記フック部材が前記棒状ケーシングの係止溝への係止を解除する固定突起が設けられてなり、少なくとも一方側の前記フック部材が前記棒状ケーシングの係止溝に係止されてなる戸閉装置としたことにより、上記課題を解決した。
【００１０】
請求項１０の発明を、請求項９において、前記緩衝ダンパは、エアダンパとして構成され、該エアダンパの長手方向と、前記引張り弾性体の長手方向とはほぼ並列に配置されてなることを特徴とする戸閉具としたことにより、上記課題を解決した。請求項１１の発明を、請求項１０において、前記エアダンパには、圧力を適宜調節できる圧力調整部が設けられてなることを特徴とする戸閉装置としたことにより、上記課題を解決した。請求項１２の発明を、請求項９，１０又は１１において、前記引張り弾性体は引張りコイルバネとしてなることを特徴とする戸閉装置としたことにより、上記課題を解決した。
【００１１】
請求項１３の発明を、長手方向の両端側に係止溝を有する棒状ケーシングと、シリンダ部とピストンロッドとからなる緩衝ダンパと、前記シリンダ部の基部端及び前記ピストンロッド先端にそれぞれ軸支したフック部材と、対向する両フック部材間に設けられた引張り弾性体とからなる戸閉具が、部屋の間仕切りにおける引戸の下部に備えられ、該引戸をスライドさせるガイドレールの直下に配置されつつ、適宜戸閉する箇所付近に、前記フック部材が前記棒状ケーシングの係止溝への係止を解除する固定突起が設けられてなり、少なくとも一方側の前記フック部材が前記棒状ケーシングの係止溝に係止されてなることを特徴とする戸閉装置としたことにより、上記課題を解決した。
【００１２】
請求項１４の発明を、請求項１３において、前記緩衝ダンパは、エアダンパとして構成され、該エアダンパの長手方向と、前記引張り弾性体の長手方向とはほぼ並列に配置されてなることを特徴とする戸閉具としたことにより、上記課題を解決した。請求項１５の発明を、請求項１４において、前記エアダンパには、圧力を適宜調節できる圧力調整部が設けられてなることを特徴とする戸閉装置としたことにより、上記課題を解決した。請求項１６の発明を、請求項１３，１４又は１５において、前記引張り弾性体は引張りコイルバネとしてなることを特徴とする戸閉装置としたことにより、上記課題を解決したものである。
【発明の効果】
【００１３】
請求項１の発明によれば、本発明における戸閉具は、一枚の引戸を左方向に閉じたり、右方向に閉じるときに、左閉じ用、右閉じ用と２つが必要であったが、１つで、両方の機能を備えることができる最大の利点がある。また、極めてコンパクトにすることができ、引戸装置の僅かなスペースに容易に装着することができるものである。さらに、棒状であり、簡易な構成にでき、安価に提供できる。請求項２の発明では、特に、ガイド部材のガイド部に前記シリンダ部が遊挿されて該シリンダ部は前記ガイド部材に対して摺動自在に構成されていることで、安定した動作にできる利点がある。請求項３の発明では、請求項１又は２の発明と同様な効果を奏する。
【００１４】
請求項４の発明では、緩衝ダンパは、エアダンパとして構成されているので、衝撃吸収が良好にでき、緩衝効果の優れた製品にできる。請求項５の発明では、その緩衝効果の調整を簡単にでき、引戸の重量や大きさに対応した衝撃吸収の調整ができる。請求項６の発明では、具体的な構成として確実な作用をなす戸閉具を提供できる。請求項７の発明では、引張り弾性体は引張りコイルバネとしたことにより、取り扱いや調整も簡単にでき、操作性も長期に亘って良好にできる。請求項８の発明では、取付構造としては、緩衝ダンパ又はエアダンパに対して簡単にできる。
【００１５】
請求項９の発明では、引戸の上部に戸閉具を備えた戸閉装置としたことにより、一枚の引戸を左方向に閉じたり、右方向に閉じるときに、左閉じ用、右閉じ用と２つ機能を１台で備えることができ、極めてコンパクトにすることができ、引戸装置の僅かなスペースに容易に装着することができるものである。さらに、簡易な構成にでき、安価に提供できる。請求項１０の発明では、緩衝ダンパは、エアダンパとして構成されているので、衝撃吸収が良好にでき、緩衝効果の優れた製品にできる。請求項１１の発明では、その緩衝効果の調整を簡単にでき、引戸の重量や大きさに対応した衝撃吸収の調整ができる。請求項１２の発明では、引張り弾性体は引張りコイルバネとしたことにより、取り扱いや調整も簡単にでき、操作性も長期に亘って良好にできる。
【００１６】
請求項１３の発明では、引戸の下部に戸閉具を備えた戸閉装置としたことにより、一枚の引戸を左方向に閉じたり、右方向に閉じるときに、左閉じ用、右閉じ用と２つ機能を１台で備えることができ、極めてコンパクトにすることができ、引戸装置の僅かなスペースに容易に装着することができるものである。さらに、簡易な構成にでき、安価に提供できる。請求項１４の発明では、緩衝ダンパは、エアダンパとして構成されているので、衝撃吸収が良好にでき、緩衝効果の優れた製品にできる。請求項１５の発明では、その緩衝効果の調整を簡単にでき、引戸の重量や大きさに対応した衝撃吸収の調整ができる。請求項１６の発明では、引張り弾性体は引張りコイルバネとしたことにより、取り扱いや調整も簡単にでき、操作性も長期に亘って良好にできる。
【発明を実施するための最良の形態】
【００１７】
以下、本発明の実施形態を図面に基づいて説明する。まず本発明における戸閉具は、図１，図３,図４及び図５等に示すように、主に、棒状ケーシング１と、ガイド部材２と、
緩衝ダンパ３と、フック部材４と、引張り弾性体５とから構成されている。前記棒状ケーシング１は、長手方向に比較的長さの長いケーシング本体１１と、端部材１２，１２とからなり、該端部材１２には、溝状の係止溝１２ａ，１２ａが形成されている。具体的には、端部材１２の断面両側に同一の溝として、弧状の係止溝１２ａ，１２ａが形成されている。前記引張り弾性体５には、金属性のコイルバネは勿論包含されるが、合成ゴムなどの弾性体も包含されるものである。
【００１８】
前記ガイド部材２は、図２（Ｄ）に示すように、上部に筒状のガイド部２１が形成され、該ガイド部２１の下側に取付片２２，２２が形成されている。該取付片２２，２２を介して前記棒状ケーシング１の前後の辺に取付られている。また、図２（Ｅ）に示すように、断面Ｕ状のＵ状ガイド２３として形成されることもある。前記緩衝ダンパ３は、図１等に示すように、シリンダ部３１とピストンロッド３２と圧力調整部３３と液体又は気体（空気）とから構成されている。該液体としては、オイル又はジェル状のグリスなどの液体、或いはエア（空気）である。液体の場合、粘性のある液体であれば、前記材質，物質に限定されない。
【００１９】
前記緩衝ダンパ３は、エアダンパ３０として構成されることが多い。そのシリンダ部３１は、これらの液体が漏れることのないように密封性を有している。液体内の該シリンダ部３１内には、必要に応じて復帰スプリングが装着されて、前記ピストンロッド３２がシリンダ部３１から常時突出した状態に維持されるように弾性的に付勢されることがある。前記棒状ケーシング１の中間にガイド部材２が固着され、該ガイド部材２のガイド部２１に前記シリンダ部３１が遊挿されて該シリンダ部３１は前記ガイド部材２に対して摺動自在に構成されている。
【００２０】
前記圧力調整部３３には、液体の流れを速めたり、遅くするような公知の構成が設けられている。また、エア量の制御の前記圧力調整部３３には、エア量の調整が可能なニードル弁３３ａ及び回転操作部３３ｂが設けられている。３３ｃ，３３ｄはエア抜け孔、３３ｅはエア流通可能な蓋部である。前記ニードル弁３３ａの締め付け、緩めによって、エアの逃げ量を調節して衝撃力に適宜対応するものである。前記エアダンパ３０として構成された場合には、衝撃吸収が良好にでき、緩衝効果の優れた製品にできると共に、前記圧力調整部３３の調整がし易いものである。
【００２１】
前記フック部材４は、前記シリンダ部３１の基部端（図１において右側端）及び前記ピストンロッド３２先端（図１において左側端）に、直接又は取付部材６，７を介してそれぞれ軸支４２ａされている。前記フック部材４は、ほぼＵ字形のフック部４１と回転基部４２と係止突起４３とで構成されている。
【００２２】
具体的には、図１及び図２に示すように、前記フック部４１は、先端側で三角状の係止部４１ａの後部側に、立上り状の当接部４１ｃが凹み部４１ｂを介して形成されている。つまり、三角状の係止部４１ａと凹み部４１ｂと当接部４１ｃとでほぼＵ字形をなしている。前記凹み部４１ｂには、適宜の位置に固定されている被当接片（後述の固定突起１１０等）が挿入係止される。該被当接片は、食器棚，本棚，陳列棚等の種々の収納家具，キャビネット又は部屋の間仕切りにおける引戸１００の戸閉側の近辺に取付られている。
【００２３】
さらに、前記フック部材４は、前記シリンダ部３１の基部端（図１において右側端）には取付部材６が、前記ピストンロッド３２先端（図１において左側端）には取付部材７がそれぞれ介して回転可能に軸支４２ａされている。前記取付部材６は、逆Ｔ字形部６１，６１を左右対称に設けてこの後部が連結片６２にて結合されて構成されている。該連結片６２箇所中央に、前記引張り弾性体５の両端側の端部係合部５１，５１を係合する係合溝６２ａが形成されている。
【００２４】
前記フック部材４の回転基部４２が、前記シリンダ部３１の基部端（図１において右側端）の取付部材７に軸支４２ａされている。また、図２（Ｆ）に示すように、前記取付部材７は上から見て断面コ字状をなした本体部７１で構成され、後部壁片の下側に、前記引張り弾性体５の他方側の端部係合部５１を係合する係合溝７１ａが形成されている。前記引張り弾性体５は、引張りコイルバネ５２として使用されることが多い。
【００２５】
また、図２（Ｄ）及び（Ｅ）に示すように、前記フック部材４の係止突起４３，４３は、前記フック部４１の先端側の左右側に飛び出して形成されている。該係止突起４３は、前記棒状ケーシング１の係止溝１２ａに係止可能に構成されている。本発明の戸閉具は、通常の状態では、図１に示すように、両フック部材４，４間である、取付部材６，７間に、前記引張り弾性体５が張設されている。この発明において、極めて重要な点は、戸閉具として極めて単純な形状・構造であると共に、開閉ドアなどに対して、右側閉じでも、左側閉じでも良好にでき、本発明品一つのみの少ない部材で良好に対応できる発明である。
【００２６】
本発明の戸閉具を、引戸１００に取付けた構成について図６乃至図１３にて説明する。該引戸１００の上部辺の左右側に、ロールによるガイド走行部１０１，１０１が設けられ、該ガイド走行部１０１，１０１間に、本発明の戸閉具の両端部取付片１２ｂ，１２ｂを介して取付られている［図６（Ｄ）参照］。前記ガイド走行部１０１，１０１は、天井又は天板状材などに設けられたガイドレール１０２に転動可能に構成されている。前記ガイド走行部１０１は、前記ガイドレール１０２に対応するハングローラタイプとしたものである。そのガイド走行部１０１は、走行本体部１０１ａとローラ部１０１ｂ，１０１ｂとから構成されている。また、引戸１００の幅によっては、本発明による所定長さの戸閉具を使うことから、補助ガイド走行部１０３を図１２（Ｂ）のように設けることもある。
【００２７】
本発明の戸閉具が１個で、図１３（Ａ）のような、食器棚，本棚，陳列棚等の種々の収納家具，キャビネットなどにおいて、左閉じ、右閉じに対応できる作用について図６乃至図１１に基づき説明する。左閉じ作用とは、図６〜図８及び図１３において、左側の閉鎖部に当接させる場合である。また、戸閉側及び戸開側の概念もあり、図６〜図８及び図１３において、右側から左側に向かう方向が戸閉側であるが、図１３の場合には、左右側のどちらでも戸閉側又は戸開側となるため、本明細書においては、左閉じ又は左閉じ開放、右閉じ又は右閉じ開放という説明で行なう。なお、図１３において、Ｗ０は、左右側に自由な速度（高速など）に移動できるフリー状態の領域、Ｗ１は左閉じ又は右閉じの際において、引戸１００を移動させるときの低速度領域である。
【００２８】
まず、左閉じの作用を、図６乃至図８にて説明する。図６に示すように、左右側の前記フック部材４，４の係止突起４３が、前記棒状ケーシング１の左右側の係止溝１２ａに係止した状態を保持して引戸１００は移動可能となっている。前記フック部材４の係止突起４３が係止溝１２ａに係止した位置を定位置とする。この場合、定位置は、左側及び右側が存在する。そして、開き状態の引戸１００が、図６（Ａ）において左方向に勢いの良い速度Ｖで移動する。この詳細状態が図６（Ｂ）に示す通りである。
【００２９】
次いで、フック部材４が、固定突起１１０に近接して、その瞬間に、図６（Ｃ）及び（Ｄ）に示すように、固定突起１１０に前記フック部材４の当接部４１ｃが当接する。この瞬間に、図７（Ａ）及び（Ｂ）に示すように、前記フック部材４を回転させる。このときに、前記固定突起１１０に前記フック部材４が係止する。つまり、前記固定突起１１０と前記フック部材４とは一体化する。さらに、この瞬間に、引戸１００の荷重と加速度とが加わって、フック部材４に対して衝撃状態となって、その衝撃力を前記緩衝ダンパ３にて緩衝する。この作用を詳述する。
【００３０】
この緩衝作用は、緩衝ダンパ３にて、勢いのある速度Ｖを、低速度ｖに急激に低下させると同時に、引戸１００の位置も戸閉め側に瞬時に近づけることができる。つまり、緩衝時に距離Ｌｘだけピストンロッド３２が縮み作用をなす。図７（Ａ）及び（Ｂ）の状態から図７（Ｃ）及び（Ｄ）の状態になるのに、瞬時（１００分の数秒以下）に緩衝作用をなす。簡単に説明すると、図７（Ａ）及び（Ｂ）の状態と、図７（Ｃ）及び（Ｄ）の状態とはほぼ同時に行なわれる。
【００３１】
緩衝ダンパ３のピストンロッド３２がシリンダ部３１に引き込む動作を行なう場合には、内部に充填された液体やエアが抵抗力Ｒとなり、前記引張り弾性体５の弾性力Ｆを減少させ、これによってフック部材４の戸閉方向の速度を減少させ、前記棒状ケーシング１の後方側に移動させる役目をなすものである。そして、図７（Ｃ）及び（Ｄ）の低速度ｖとなってからは、今度は、引張り弾性体５の弾性力Ｆにて、低速度ｖにて引戸１００を移動させる。つまり、緩衝ダンパ３による抵抗力Ｒ（衝撃時でない通常速度のとき）とすると、引張り弾性体５の弾性力Ｆからピストンロッド３２を縮ませつつの抵抗力Ｒを除いた力が引戸１００を引く力：Ｐとなる。
すなわち、Ｐ＝Ｆ−Ｒとなる。
【００３２】
かなり、ゆっくりとした速度ｖで、図８（Ａ）及び（Ｂ）の状態のように、戸閉じの作用をなす。図８の（Ａ）及び（Ｂ）では、戸閉側に当たらんとしているが、低速度ｖでさらに左側に移動する。そして、図８（Ｃ）及び（Ｄ）の状態のように、引戸１００の左辺が戸閉側に当接して移動が停止する。このときにも、ピストンロッド３２が完全に縮んだ状態ではなく、少しのストロークであっても残存していることが必要である。この状態でなければ、引張り弾性体５の弾性力Ｆにての戸閉じめ作用は生じない。
【００３３】
特に、図７（Ｃ）及び（Ｄ）の状態では、前記固定突起１１０と前記フック部材４とは一体化しつつ前記引張り弾性体５の弾性力で、前記フック部材４は左回転して一体化を解除する方向にならんとするが、該フック部材４の係止突起４３，４３が、前記棒状ケーシング１の左右側の側部１１ａ，１１ａの上縁に接触しつつ摺動自在となり、フック部材４は解除できないように構成されている。以上の左閉じの作用の状態では、前記フック部材４の係止突起４３が係止溝１２ａに係止した右側が定位置として機能する。さらに、前記引張り弾性体５にて付勢された前記フック部材４が係止溝１２ａに係止されないときには、前記フック部材４は前記固定突起１１０に係止するように構成され、且つ前記フック部材４は可動する。
【００３４】
次に、左閉じ解除の作用を説明する。これは、図８（Ｃ）及び（Ｄ）の状態から、図６（Ａ）及び（Ｂ）に示すように、逆に行なう。まず、図８（Ｃ）及び（Ｄ）の状態から、右方向に引戸１００を移動させる。前述したように、引戸１００には、Ｐ（＝Ｆ−Ｒ）なる力が左方向に加わっているため、そのＰなる力より大きな力で、右方向に引戸１００を移動させる。さらに、前記ピストンロッド３２を伸ばしつつ、図８（Ａ）及び（Ｂ）の状態から図７（Ｃ）及び（Ｄ）の状態へ、さらに、同図７（Ｃ）及び（Ｄ）の状態から図７（Ａ）及び（Ｂ）の状態に移動させる。
【００３５】
図７（Ａ）及び（Ｂ）の状態になった瞬間に、図６（Ｃ）及び（Ｄ）に示すように、前記フック部材４の係止突起４３が前記棒状ケーシング１の左側の係止溝１２ａ位置となると同時に、前記フック部材４の係止突起４３が左回転して、前記棒状ケーシング１の左側の係止溝１２ａに係止する。このとき、図１（Ａ）又は図６（Ａ）及び（Ｂ）に示すように、前記フック部材４の係止突起４３が前記棒状ケーシング１の左右側の係止溝１２ａ，１２ａに係止してその戸閉具のＰ（＝Ｆ−Ｒ）なる力は働かないようになり、つまり、引戸１００は急に軽くなって移動させることができる。該引戸１００の状態が、左閉じ用の力Ｐ（＝Ｆ−Ｒ）の解除の状態である。
【００３６】
次に、右閉じの作用を、図９乃至図１１にて説明する。図９（Ａ）及び（Ｂ）に示すように、左右側の前記フック部材４，４の係止突起４３が、前記棒状ケーシング１の左右側の係止溝１２ａに係止した状態を保持して引戸１００は移動可能となっている。この状態は、左閉じの図６（Ａ）と同一である。そして、開き状態の引戸１００を、図９（Ａ）において右方向に勢いの良い速度Ｖで移動する。この詳細状態が図９（Ｂ）に示す通りである。
【００３７】
そしてフック部材４が、固定突起１１０に近接して、その瞬間に、図９（Ｃ）及び（Ｄ）に示すように、固定突起１１０に前記フック部材４の当接部４１ｃが当接する。この瞬間に、図１０（Ａ）及び（Ｂ）に示すように、前記フック部材４を左回転させる。このときに、前記固定突起１１０と前記フック部材４とは一体化する。さらに、この瞬間に、引戸１００の荷重と加速度とが加わって、フック部材４に対して衝撃状態となって、その衝撃力を前記緩衝ダンパ３にて緩衝する。この作用は、左閉じの作用と同じ作用をなすが、今度は可動部材の役割が一変する。
【００３８】
この緩衝作用は、緩衝ダンパ３にて、勢いの良い速度Ｖを、低速度ｖに速度を急激に低下させると同時に、引戸１００の位置も戸閉め側に瞬時に近づけることができる。つまり、緩衝時に距離Ｌｘだけピストンロッド３２が縮み作用をなす。確かに、該ピストンロッド３２が縮み作用であるが、該ピストンロッド３２先端は固定状態となっており、シリンダ部３１がガイド部２１内を移動する。以後、その先端は固定状態を保持する。次いで、図１０（Ａ）及び（Ｂ）の状態から図１０（Ｃ）及び（Ｄ）の状態になるのに、瞬時（１００分の数秒以下）に緩衝作用をなす。簡単に説明すると、図１０（Ａ）及び（Ｂ）の状態と、図１０（Ｃ）及び（Ｄ）の状態とはほぼ同時に行なわれる。
【００３９】
そして、図１０（Ｃ）及び（Ｄ）の低速度ｖとなってからは、今度は、引張り弾性体５の弾性力Ｆにて、低速度ｖにて引戸１００を移動させるものであり、この点は、前述の左閉じの作用と同じである。さらに、図１１（Ａ）及び（Ｂ）の状態から図１１（Ｃ）及び（Ｄ）の状態の右閉じ完了までも、シリンダ部３１がガイド部２１内を移動する点を除いて、前述の左閉じの作用と同じである。このため、その説明を省略する。以上の右閉じの作用の状態では、前記フック部材４の係止突起４３が係止溝１２ａに係止した左側が定位置として機能する。また、右閉じ解除の作用を説明する。これは、図１１（Ｃ）及び（Ｄ）の状態から、図９（Ａ）及び（Ｂ）に示すように、逆に行なうものであり、シリンダ部３１がガイド部２１内を移動する点を除いて、前述の左閉じの解除作用と同じであり、この説明を省略する。
【００４０】
次に、本発明の戸閉具を、引戸１００の下部に取付けた構成について図１３（Ｂ）について説明する。該引戸１００の上部辺の左右側に、ロールによるガイド走行部１０１，１０１が設けられ、前記引戸１００の下部辺に、本発明の戸閉具の両端部取付片１２ｂ，１２ｂを介して取付られている。この場合、床上に突出する固定突起１１０が設けられている。該固定突起１１０は、床の状態のみにしておく場合は、床面に沈むように公知の技術にて行なわれる。その左閉じ、左閉じ解除、右閉じ、右閉じ解除については、引戸１００の上部に本発明を取付けた場合と同様であり、説明を省略する。
【図面の簡単な説明】
【００４１】
【図１】（Ａ）は本発明の戸閉具の一部断面とした正面図、（Ｂ）及び（Ｃ）は（Ａ）の一部斜視図、（Ｄ）はガイド受部材の斜視図、（Ｅ）は（Ｄ）とは別の実施形態のガイド受部材の斜視図である。
【図２】（Ａ）は本発明の一部断面とした正面図、（Ｂ）はフック部材箇所の一部断面とした平面図、（Ｃ）はフック部材及びケーシング本体の一部断面図、（Ｄ）はフック部材箇所の斜視図、（Ｅ）はフック部材の斜視図、（Ｆ）は取付部材の一部切除した斜視図である。
【図３】（Ａ）は本発明の一部正面図、（Ｂ）はフック部材箇所の一部断面とした平面図、（Ｃ）はフック部材箇所の斜視図、（Ｄ）及び（Ｅ）は取付部材の斜視図である。
【図４】（Ａ）及び（Ｂ）は本発明の戸閉具の一部断面とした正面図である。
【図５】緩衝ダンパのシリンダ部，ピストンロッド及び圧力調整部の断面図である。
【図６】（Ａ），（Ｂ），（Ｃ）及び（Ｄ）は左閉じの開始状態の作用図である。
【図７】（Ａ），（Ｂ），（Ｃ）及び（Ｄ）は左閉じの途中状態の作用図である。
【図８】（Ａ），（Ｂ），（Ｃ）及び（Ｄ）は左閉じ終了直前及び左閉じ終了状態の作用図である。
【図９】（Ａ），（Ｂ），（Ｃ）及び（Ｄ）は右閉じの開始状態の作用図である。
【図１０】（Ａ），（Ｂ），（Ｃ）及び（Ｄ）は右閉じの途中状態の作用図である。
【図１１】（Ａ），（Ｂ），（Ｃ）及び（Ｄ）は右閉じ終了直前及び右閉め終了状態の作用図である。
【図１２】（Ａ），（Ｂ）は、引戸に本発明を取付けた上部の一部取付図、（Ｃ）は（Ｂ）のＸ−Ｘ矢視図である。
【図１３】（Ａ）は引戸の上部に本発明を取付けた正面図、（Ｂ）は引戸の下部に本発明を取付けた一部断面とした正面図である。
【００４２】
１…棒状ケーシング、１２ａ…係止溝、２…ガイド部材、２１…ガイド部、
３…緩衝ダンパ、３０…エアダンパ、３１…シリンダ部、３２…ピストンロッド、
３３…圧力調整部、４…フック部材、４１…フック部、４１ａ…係止部、
４１ｂ…凹み部、４１ｃ…当接部、４２…回転基部、４２ａ…軸支、４３…係止突起、
５…引張り弾性体、５２…引張りコイルバネ、６，７…取付部材、１００…引戸、
１０２…ガイドレール、１１０…固定突起。
【図１】
0004319687.tif 000002
【図２】
0004319687.tif 000003
【図３】
0004319687.tif 000004
【図４】
0004319687.tif 000005
【図５】
0004319687.tif 000006
【図６】
0004319687.tif 000007
【図７】
0004319687.tif 000008
【図８】
0004319687.tif 000009
【図９】
0004319687.tif 000010
【図１０】
0004319687.tif 000011
【図１１】
0004319687.tif 000012
【図１２】
0004319687.tif 000013
【図１３】
0004319687.tif 000014